(57)【要約】【課題】使用条件や環境条件に左右されることなく、常時、像担持体の表面上全面に均一な塗布量の潤滑剤膜を形成することができる潤滑剤塗布装置並びにこれを備えるプロセスカートリッジ、画像形成装置、及び潤滑剤塗布装置の使用方法を提供する。【解決手段】像担持体１に潤滑剤を付与するための固形潤滑剤８ａと、固形潤滑剤８ａを支持する潤滑剤支持部材８ｄと、固形潤滑剤８ａを像担持体１に押圧するスプリング８ｃと、を備える潤滑剤塗布装置８において、固形潤滑剤８ａにより潤滑剤が塗布された像担持体表面へ滴下された液滴の接触角を測定する接触角測定センサ８ｓと、スプリング８ｃによって付勢される固形潤滑剤８ａと像担持体１との接触状態を変更するために、スプリング８ｃによる固形潤滑剤８ａへの付勢力を切り替えるカム８ｅと、接触角測定センサ８ｓにより測定して得られた前記接触角に応じてカム８ｅを制御する制御手段８ｆと、を設けた。【選択図】図３
2009186738.tif 000002
【特許請求の範囲】
【請求項１】
像担持体に潤滑剤を付与するための固形潤滑剤と、
固形潤滑剤を支持する潤滑剤支持部材と、
固形潤滑剤を像担持体に押圧する加圧部材と、
を備える潤滑剤塗布装置において、
固形潤滑剤により潤滑剤が塗布された像担持体表面へ滴下された液滴の接触角を測定する接触角測定手段と、
前記加圧部材によって付勢される固形潤滑剤と像担持体との接触状態を変更するために、加圧部材による固形潤滑剤への付勢力を切り替える付勢力切替手段と、
前記接触角測定手段により測定して得られた前記接触角に応じて前記付勢力切替手段を制御する制御手段と、
を有している
ことを特徴とする潤滑剤塗布装置。
【請求項２】
像担持体に潤滑剤を付与するための固形潤滑剤と、
固形潤滑剤を支持する潤滑剤支持部材と、
固形潤滑剤から像担持体に潤滑剤を搬送し像担持体上に潤滑剤を塗布するための潤滑剤塗布部材と、
潤滑剤塗布部材を像担持体に押圧する加圧部材と、
を備える潤滑剤塗布装置において、
固形潤滑剤により潤滑剤が塗布された像担持体表面へ滴下された液滴の接触角を測定する接触角測定手段と、
前記加圧部材によって付勢される固形潤滑剤と潤滑剤塗布部材との接触状態、及び潤滑剤塗布部材と像担持体との接触状態を変更するために、加圧部材による固形潤滑剤への付勢力を切り替える付勢力切替手段と、
前記接触角測定手段により測定して得られた前記接触角に応じて前記付勢力切替手段を制御する制御手段と、
を有している
ことを特徴とする潤滑剤塗布装置。
【請求項３】
請求項１又は請求項２に記載の潤滑剤塗布装置において、
前記固形潤滑剤は、同じ材質の固形潤滑剤片を複数組み合わせて１個の固形潤滑剤をなし、各固形潤滑剤片は潤滑剤支持部材で支持されている
ことを特徴とする請求項１又は請求項２に記載の潤滑剤塗布装置。
【請求項４】
像担持体と、該像担持体自体に潤滑剤を塗布する潤滑剤塗布装置とを一体的に支持し、画像形成装置本体に着脱自在に形成されるプロセスカートリッジにおいて、請求項１ないし請求項３のいずれかに記載の潤滑剤塗布装置が設けられている
ことを特徴とするプロセスカートリッジ。
【請求項５】
像担持体上に静電潜像を形成し、該静電潜像を現像してトナー画像とし、該トナー画像を記録シート上に転写及び定着して画像形成を行う画像形成装置において、請求項１ないし請求項３のいずれかに記載の潤滑剤塗布装置が設けられている
ことを特徴とする画像形成装置。
【請求項６】
請求項４に記載のプロセスカートリッジを備えている
ことを特徴とする画像形成装置。
【請求項７】
請求項１ないし請求項３のいずれかに記載の潤滑剤塗布装置の使用方法であって、
前記液滴の滴下量を１０〜１０００ｐｌとする
ことを特徴とする潤滑剤塗布装置の使用方法。
【発明の詳細な説明】
【技術分野】
【０００１】
本発明は、複写機、プリンタ、ファクシミリ等の電子写真方式の画像形成装置に搭載され、像担持体の表面に潤滑剤を塗布する潤滑剤塗布装置、プロセスカートリッジ、画像形成装置及び潤滑剤塗布装置に関する。
【背景技術】
【０００２】
従来、電子写真の画像形成装置では、ドラム状あるいはベルト状の像担持体の表面に原稿画像の静電潜像が形成され、この静電潜像がトナー像にされて可視像化され、それを転写材又は中間転写体に転写することが行われている。次いで、トナーが像担持体に残留して付着しているので、クリーニングブラシやクリーニングブレードなどを備えたクリーニング装置によって像担持体表面がクリーニングされ、画像形成装置は次の作像に備える。画像形成装置が上記動作を繰り返し行うことで、複数枚の用紙に画像の印刷が行われる。
【０００３】
クリーニング装置は、クリーニングブラシやクリーニングブレードなどを用い、像担持体表面を掻き取る方式が一般的である。しかし、像担持体表面にはトナーが付着するだけでなく、トナー添加剤の凝集体や、バイアス印加時のオゾンや窒素酸化物など、固着しやすいものも付着する。この付着物を効果的に掻き取るためにクリーニングブラシやクリーニングブレードなどが像担持体に圧接されるが、この圧接力が過度になると、像担持体表面が傷つけられて異常画像の原因となる。また、クリーニングブレードの先端の変形、捲れ、及び巻込みなどによるブレードの破断の原因となる。
そこで、像担持体表面に潤滑剤を塗布して像担持体表面での摩擦抵抗を下げ、付着物をとりやすくし、かつクリーニングブレードの変形を防止する技術に関する研究が多くなされている。
【０００４】
現在、高画質化ニーズとナノテク技術の進展によりトナーの小粒径化が進み、トナーへの外添加剤もさらなる小粒径が進んできている。画像の高画質化を図るために小粒径のトナーを使用すると、クリーニング装置で完全に残留トナーを除去することが容易でなく、そのまま放置すると、像担持体の表面にトナーのフィルミング層が形成されて、その除去は一層困難になる。また、トナーの流動性をよくするために、トナーに添加剤を加えることがあるが、この添加剤が像担持体の表面に付着すると、その除去が容易でなく、経時的に画像の品質に影響を与える。そこで、トナー、トナーフィルミング層及び添加剤などの異物の除去を容易にするために、像担持体の表面に潤滑剤を塗布し、潤滑剤の薄膜を形成することが行われている。この場合に使用する潤滑剤としては、ステアリン酸亜鉛系の金属塩から粉体や固形に形成された潤滑剤や、ワックスなどが使用されている。
上記のことから、現在、電子写真の画像形成装置では、クリーニング装置に加えて潤滑剤塗布装置が設けられている機種や、クリーニング装置内に潤滑剤塗布装置を兼ね備えている機種、が増えてきている。
【０００５】
このような潤滑剤塗布装置について、以下の技術が提案されている。
特許文献１では、塗布ブラシにより中間転写ベルト上に潤滑剤を塗布する潤滑剤供給装置において、固形潤滑剤の移動方向を規制する方向規制部材と、固形潤滑剤を移動させるための方向付勢手段と、を設けることで、固形潤滑剤と塗布ブラシとが安定して当接し、固形潤滑剤を塗布ブラシを介して均一に中間転写ベルト上に塗布することができる技術が提案されている。
また、特許文献２では、塗布ブラシの他に、潤滑性付与剤を削る研削ローラと、塗布ブラシに付着したトナーを除去するバイアスローラと、を潤滑剤供給装置に設けることで、像担持体に傷を付けずに潤滑性付与剤を像担持体に塗布することができる技術が提案されている。
【０００６】
また、特許文献３では、像担持体の表面に潤滑剤による皮膜を形成する潤滑剤皮膜形成手段を設け、潤滑剤皮膜形成手段を塗布ローラとクリーニングブラシを介して潤滑剤を像担持体の表面に塗布するように構成し、潤滑剤と塗布ローラとを接離可能とする移動機構を設けることで、潤滑剤の長寿命化を図る技術が提案されている。
また、特許文献４では、中間転写方式の画像形成装置において、固形潤滑剤を複数箇所で加圧する固形潤滑剤加圧手段により転写ローラ表面に固形潤滑剤を加圧塗布することで安価な構成で均一な塗布を可能とする技術が提案されている。
また、特許文献５では、温度環境によって、像担持体に対する固形潤滑剤の加圧力を制御、又は、固形潤滑剤に接する塗布ブラシの回転速度を制御することで均一な塗布を可能とする技術が提案されている。
【０００７】
また、特許文献６では、ユニバーサル硬さ値ＨＵが１５０Ｎ／ｍｍ２以上２４０Ｎ／ｍｍ２以下であり、かつ、弾性変形率Ｗｅが４３％以上６５％以下である電子写真感光体を使用し、耐久前後の接触角、特に静的接触角と後退接触角の相関を規定範囲で使用することを主体に、電子写真感光体表面の摺擦条件、転写残現像剤の挙動制御条件を付与したことによりスジ状欠陥を抑止する他、画像流れ、クリーニングブレード捲れ、擦り抜け、及び融着・フィルミングといったクリーニング不良を抑制し、長期に亘り安定した画質、及びクリーニング性を確保する技術が提案されている。
また、特許文献７、８では、付着力の観点で、電子写真感光体の表面自由エネルギーについて、前進接触角から求めた値をγｓＰ［前進］、後退接触角から求めた値をγｓＰ［後退］とした。また、現像剤の表面自由エネルギーについて、前進接触角から求めた値をγｓＴ［前進］、後退接触角から求めた値をγｓＴ［後退］とした。そして、各々の差分の相関をγｓＰ［前進］−γｓＰ［後退］＜γｓＴ［前進］−γｓＴ［後退］として、電子写真感光体と現像剤の付着力を規定し、かぶりや中抜けを抑制する技術が提案されている。
【０００８】
ところで、画像形成装置は、使用条件や周囲環境、画像出力パターンなどがユーザにより全く異なるため、画像形成装置の長期の使用により装置の状態が装置間によって大きく異なる場合がある。また、潤滑剤塗布装置の部品精度や組付精度も画像形成装置によって様々であり、工場出荷時では、同一品質で出荷されたとしても、ユーザによる実際の使われ方が様々であることから製品寿命までの間に、画像形成装置間の品質は相異する。したがって、像担持体上に塗布されている潤滑剤も同様の影響を受けることになり、上記特許文献の技術を持ってしても、下記に示すような問題が残されている。
【０００９】
製品市場における像担持体を含むプロセスカートリッジの交換率調査結果から、潤滑剤塗布機能が経時の使用で塗布機能が低下し、像担持体上の潤滑剤の塗布状態が不均一になりやすいことがわかった。また、経時的な潤滑剤塗布により、像担持体表面への像担持体軸方向への塗布が不均一となり、像担持体の表面に帯電ムラが発生したり、像担持体表面へトナーフィルミング層が形成されたりするという問題が発生する。また、像担持体の表面への潤滑剤の塗布量が少ないと、塗布ムラが生じやすくなったり、トナーの外添剤等の異物が像担持体に付着したり、又はクリーニングブレード先端の巻込みが発生したりすることがある。一方、潤滑剤の塗布量が多すぎると、像担持体に接触して付着するトナーの量が増え、地肌汚れが発生し、画像品質の低下を招くこととなる。
また、製品市場では、ユーザサイトにおいて、経時的な劣化により製品の寿命まで持たずに潤滑剤塗布装置を含むユニットを交換するケースが多く発生している。
そこで、このような問題を解決するために、潤滑剤塗布装置の像担持体表面への潤滑剤塗布状態が工場出荷時から製品部品寿命時まで安定し、像担持体の表面上全面に均一な塗布量の潤滑剤膜が形成されるような装置の管理が望まれる。
【００１０】
【特許文献１】特開２０００−１７２１１８号公報
【特許文献２】特開平９−８１００５号公報
【特許文献３】特許第３３４２６１３号公報
【特許文献４】特開２００２−１７４９６０号公報
【特許文献５】特開平９−６２１６３号公報
【特許文献６】特開２００５−３１６２６１号公報
【特許文献７】特開平１１−２２４０３８号公報
【特許文献８】特開平１１−１６７２２４号公報
【発明の開示】
【発明が解決しようとする課題】
【００１１】
そこで、本発明は上記問題点に鑑みてなされたものであり、その課題は、使用条件や環境条件に左右されることなく、常時、像担持体の表面全体に均一な塗布量の潤滑剤膜を形成することができる潤滑剤塗布装置並びにこれを備えるプロセスカートリッジ、画像形成装置、及び潤滑剤塗布装置の使用方法を提供することにある。
【課題を解決するための手段】
【００１２】
上記課題を解決する手段である本発明の特徴を以下に挙げる。
本発明の潤滑剤塗布装置は、像担持体に潤滑剤を付与するための固形潤滑剤と、固形潤滑剤を支持する潤滑剤支持部材と、固形潤滑剤を像担持体に押圧する加圧部材と、を備える潤滑剤塗布装置において、固形潤滑剤により潤滑剤が塗布された像担持体表面へ滴下された液滴の接触角を測定する接触角測定手段と、前記加圧部材によって付勢される固形潤滑剤と像担持体との接触状態を変更するために、加圧部材による固形潤滑剤への付勢力を切り替える付勢力切替手段と、前記接触角測定手段により測定して得られた前記接触角に応じて前記付勢力切替手段を制御する制御手段と、を有していることを特徴とする。
【００１３】
また、本発明の潤滑剤塗布装置は、さらに、像担持体に潤滑剤を付与するための固形潤滑剤と、固形潤滑剤を支持する潤滑剤支持部材と、固形潤滑剤から像担持体に潤滑剤を搬送し像担持体上に潤滑剤を塗布するための潤滑剤塗布部材と、潤滑剤塗布部材を像担持体に押圧する加圧部材と、を備える潤滑剤塗布装置において、固形潤滑剤により潤滑剤が塗布された像担持体表面へ滴下された液滴の接触角を測定する接触角測定手段と、前記加圧部材によって付勢される固形潤滑剤と潤滑剤塗布部材との接触状態、及び潤滑剤塗布部材と像担持体との接触状態を変更するために、加圧部材による固形潤滑剤への付勢力を切り替える付勢力切替手段と、前記接触角測定手段により測定して得られた前記接触角に応じて前記付勢力切替手段を制御する制御手段と、を有していることを特徴とする。
【００１４】
また、本発明の潤滑剤塗布装置は、さらに、請求項１又は請求項２に記載の潤滑剤塗布装置において、前記固形潤滑剤は、同じ材質の固形潤滑剤片を複数組み合わせて１個の固形潤滑剤をなし、各固形潤滑剤片は潤滑剤支持部材で支持されていることを特徴とする。
本発明のプロセスカートリッジは、像担持体と、該像担持体自体に潤滑剤を塗布する潤滑剤塗布装置とを一体的に支持し、画像形成装置本体に着脱自在に形成されるプロセスカートリッジにおいて、請求項１ないし請求項３のいずれかに記載の潤滑剤塗布装置が設けられていることを特徴とする。
本発明の画像形成装置は、像担持体上に静電潜像を形成し、該静電潜像を現像してトナー画像とし、該トナー画像を記録シート上に転写及び定着して画像形成を行う画像形成装置において、上記のいずれかに記載の潤滑剤塗布装置が設けられていることを特徴とする。
本発明の画像形成装置は、上記のプロセスカートリッジを備えていることを特徴とする。
本発明の潤滑剤塗布装置の使用方法は、前記液滴の滴下量を１０〜１０００ｐｌとすることを特徴とする。
【発明の効果】
【００１５】
上記解決する手段としての潤滑剤塗布装置、プロセスカートリッジ、画像形成装置、及び潤滑剤塗布装置の使用方法では、使用条件や環境条件に左右されることなく、常時、像担持体の表面全体に均一な塗布量の潤滑剤膜を形成することができる。
【発明を実施するための最良の形態】
【００１６】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１７】
以下、本発明の現像装置を備える画像形成装置の一実施形態として、複数の像担持体（感光体）が並行配設されたタンデム型のカラーレーザ複写機（以下、単に「複写機」という）について説明する。
図１は、本発明の現像装置を備える画像形成装置の一実施形態を示している。この複写機はプリンタ部１００、これを載せる給紙装置２００、プリンタ部１００の上に固定されたスキャナ３００などを備えている。また、このスキャナ３００の上に固定された原稿自動搬送装置４００なども備えている。
上記プリンタ部１００は、イエロー（Ｙ）、マゼンダ（Ｍ）、シアン（Ｃ）、ブラック（Ｋ）の各色の画像を形成するための４個のプロセスカートリッジ１８Ｙ，Ｍ，Ｃ，Ｋからなる画像形成ユニット２０を備えている。各符号の数字の後に付されたＹ，Ｍ，Ｃ，Ｋは、イエロー、シアン、マゼンダ、ブラック用の部材であることを示している。プロセスカートリッジ１８Ｙ，Ｍ，Ｃ，Ｋの他には、光書込ユニット２１、中間転写ユニット１７、二次転写装置２２、レジストローラ対４９、ベルト定着方式の定着装置２５などが配設されている。
光書込ユニット２１は、図示しない光源、ポリゴンミラー、ｆ−θレンズ、反射ミラーなどを有し、画像データに基づいて後述の像担持体の表面にレーザー光を照射する。
すると、照射部（露光部）の電位が減衰する。この減衰により、像担持体１の表面に静電潜像が形成される。形成された静電潜像は現像装置４によって現像されてトナー像となる。
【００１８】
像担持体１上に形成されたトナー像は、中間転写ベルト１１０に一次転写される。一次転写後の像担持体１の表面は、クリーニング装置７（図２記載）によって転写残トナーがクリーニングされる。
プロセスカートリッジ１８において、クリーニング装置７によってクリーニングされた像担持体１は、潤滑剤塗布装置８（図２記載）を経た後、不図示の除電器によって除電される。そして、帯電装置２によって一様帯電せしめられて、初期状態に戻る。
【００１９】
次に、中間転写ユニット１７について説明する。
中間転写ユニット１７は、中間転写ベルト１１０やベルトクリーニング装置９０などを有している。また、張架ローラ１４、駆動ローラ１５、二次転写バックアップローラ１６、４つの一次転写バイアスローラ６２Ｙ，Ｍ，Ｃ，Ｋなども有している。
中間転写ベルト１１０は、張架ローラ１４を含む複数のローラによってテンション張架されている。そして、図示しないベルト駆動モータによって駆動される駆動ローラ１５の回転によって図中時計回りに無端移動せしめられる。
４つの一次転写バイアスローラ６２Ｙ，Ｍ，Ｃ，Ｋは、それぞれ中間転写ベルト１１０の内周面側に接触するように配設され、図示しない電源から一次転写バイアスの印加を受ける。また、中間転写ベルト１１０をその内周面側から像担持体１Ｙ，Ｍ，Ｃ，Ｋに向けて押圧してそれぞれ一次転写ニップを形成する。像担持体と一次転写バイアスローラとの間の一次転写ニップには、一次転写バイアスの影響により、一次転写電界が形成される。
Ｙ用の像担持体１Ｙ上に形成された上述のＹトナー像は、この一次転写電界やニップ圧の影響によって中間転写ベルト１１０上に一次転写される。このＹトナー像の上には、Ｍ，Ｃ，Ｋ用の像担持体１Ｍ，Ｃ，Ｋ上に形成されたＭ，Ｃ，Ｋトナー像が順次重ね合わせて一次転写される。この重ね合わせの一次転写により、中間転写ベルト１１０上には多重トナー像たる４色重ね合わせトナー像（以下、４色トナー像という）が形成される。
中間転写ベルト１１０上に重ね合わせ転写された４色トナー像は、後述の二次転写ニップで図示しない記録シートたる転写紙に二次転写される。二次転写ニップ通過後の中間転写ベルト１１０の表面に残留する転写残トナーは、図中左側の駆動ローラ１５との間にベルトを挟み込むベルトクリーニング装置９０によってクリーニングされる。
【００２０】
次に、二次転写装置２２について説明する。
中間転写ユニット１７の図中下方には、２本の張架ローラ２３によって紙搬送ベルト２４を張架している二次転写装置２２が配設されている。紙搬送ベルト２４は、少なくともいずれか一方の張架ローラ２３の回転駆動に伴って、図中反時計回りに無端移動せしめられる。２本の張架ローラ２３のうち、図中右側に配設された一方のローラは、中間転写ユニット１７の二次転写バックアップローラ１６との間に、中間転写ベルト１１０及び紙搬送ベルト２４を挟み込んでいる。この挟み込みにより、中間転写ユニット１７の中間転写ベルト１１０と、二次転写装置２２の紙搬送ベルト２４とが接触する二次転写ニップが形成されている。そして、この一方の張架ローラ２３には、トナーと逆極性の二次転写バイアスが図示しない電源によって印加される。この二次転写バイアスの印加により、二次転写ニップには中間転写ユニット１７の中間転写ベルト１１０上の４色トナー像をベルト側からこの一方の張架ローラ２３側に向けて静電移動させる二次転写電界が形成される。後述のレジストローラ対４９によって中間転写ベルト１１０上の４色トナー像に同期するように二次転写ニップに送り込まれた転写紙には、この二次転写電界やニップ圧の影響を受けた４色トナー像が二次転写せしめられる。なお、このように一方の張架ローラ２３に二次転写バイアスを印加する二次転写方式に代えて、転写紙を非接触でチャージさせるチャージャを設けてもよい。
【００２１】
複写機本体の下部に設けられた給紙装置２００には、転写紙を複数枚重ねて紙束の状態で収容可能な給紙カセット４４が、鉛直方向に複数配設されている。それぞれの給紙カセット４４の一番上の転写紙には、給紙ローラ４２を押し当てられている。そして、給紙ローラ４２を回転させることにより、一番上の転写紙は給紙路４６に向けて送り出される。
給紙カセット４４から送り出された転写紙を受け入れる給紙路４６には、複数の搬送ローラ対４７と、その路内の末端付近に設けられたレジストローラ対４９とが設けられている。そして、転写紙はレジストローラ対４９に向けて搬送される。レジストローラ対４９に向けて搬送された転写紙は、レジストローラ対４９のローラ間に挟まれる。一方、上記中間転写ユニット１７において、中間転写ベルト１１０上に形成された４色トナー像は、ベルトの無端移動に伴って上記二次転写ニップに進入する。レジストローラ対４９は、ローラ間に挟み込んだ転写紙を二次転写ニップにて４色トナー像に密着させ得るタイミングで送り出す。これにより、二次転写ニップでは、中間転写ベルト１１０上の４色トナー像が転写紙に密着する。そして、転写紙上に二次転写されて、白色の転写紙上でフルカラー画像となる。このようにしてフルカラー画像が形成された転写紙は、紙搬送ベルト２４の無端移動に伴って二次転写ニップを出た後、紙搬送ベルト２４上から定着装置２５に送られる。
【００２２】
定着装置２５は、定着ベルト２６を２本のローラによって張架しながら無端移動せしめるベルトユニットと、このベルトユニットの一方のローラに向けて押圧される加圧ローラ２７とを備えている。これら定着ベルト２６と加圧ローラ２７とは互いに当接して定着ニップを形成しており、紙搬送ベルト２４から受け取った転写紙をここに挟み込む。ベルトユニットにおける２本のローラのうち、加圧ローラ２７から押圧される方のローラは、内部に図示しない熱源を有しており、これの発熱によって定着ベルト２６を加圧する。加圧された定着ベルト２６は、定着ニップに挟み込まれた転写紙を加熱する。この加熱やニップ圧の影響により、フルカラー画像が転写紙に定着せしめられる。
定着装置２５内で定着処理が施された転写紙は、プリンタ筐体の図中左側板に突設せしめられたスタック部５７上にスタックされるか、もう一方の面にもトナー像を形成するために上述の二次転写ニップに戻されるかする。
図示しない原稿のコピーがとられる際には、例えばシート原稿の束が原稿自動搬送装置４００の原稿台３０上セットされる。但し、その原稿が例えば製本されている片綴じ原稿である場合には、コンタクトガラス３２上にセットされる。このセットに先立ち、複写機本体に対して原稿自動搬送装置４００を上方へ回動させて、スキャナ３００のコンタクトガラス３２を露出させる。コンタクトガラス３２に原稿をセットした後、原稿自動搬送装置４００を下方に回動させてコンタクトガラス３２との間で片綴じ原稿を押さえる。
【００２３】
このようにして原稿がセットされた後、図示しないコピースタートスイッチが押下されると、スキャナ３００による原稿読取動作がスタートする。但し、原稿自動搬送装置４００にシート原稿がセットされた場合には、この原稿読取動作に先立って、原稿自動搬送装置４００がシート原稿をコンタクトガラス３２まで自動移動させる。原稿読取動作では、まず、第１走行体３３と第２走行体３４とがともに走行を開始し、第１走行体３３に設けられた光源から光が発射される。そして、原稿面からの反射光が第２走行体３４内に設けられたミラーによって反射せしめられ、この反射光は、結像レンズ３５を通過した後、読取センサ３６に入射する。読取センサ３６は、入射光に基づいて画像情報を構築する。
このような原稿読取動作と並行して、各プロセスカートリッジ１８Ｙ，Ｍ，Ｃ，Ｋ内の各機器や、中間転写ユニット１７、二次転写装置２２、定着装置２５がそれぞれ駆動を開始する。そして、読取センサ３６によって構築された画像情報に基づいて、光書込ユニット２１が駆動制御されて、各像担持体１Ｙ，Ｍ，Ｃ，Ｋ上に、Ｙ，Ｍ，Ｃ，Ｋトナー像が形成される。これらトナー像は、中間転写ベルト１１０上に重ね合わせ転写された４色トナー像となる。
また、原稿読取動作の開始とほぼ同時に、給紙装置２００内では給紙動作が開始される。この給紙動作では、給紙ローラ４２の１つが選択回転せしめられ、ペーパーバンク４３内に多段に収容される給紙カセット４４の１つから転写紙が送り出される。送り出された転写紙は、分離ローラ４５で１枚ずつ分離されて給紙路４６に進入した後、搬送ローラ対４７によって二次転写ニップに向けて搬送される。このような給紙カセット４４からの給紙に代えて、手差しトレイ５１からの給紙が行われる場合もある。この場合、手差し給紙ローラ５０が選択回転せしめられて手差しトレイ５１上の転写紙を送り出した後、分離ローラ５２が転写紙を１枚ずつ分離してプリンタ部１００の手差し給紙路５３に給紙する。
【００２４】
本複写機は、２色以上のトナーからなる多色画像を形成する場合には、中間転写ベルト１１０をその上部張架面がほぼ水平になる姿勢で張架して、上部張架面に全ての像担持体１Ｙ，Ｍ，Ｃ，Ｋを接触させる。これに対し、Ｋトナーのみからなるモノクロ画像を形成する場合には、図示しない機構により、中間転写ベルト１１０を図中左下に傾けるような姿勢にして、その上部張架面をＹ，Ｍ，Ｃ用の像担持体１Ｙ，Ｍ，Ｃから離間させる。そして、４つの像担持体１Ｙ，Ｍ，Ｃ，Ｋのうち、Ｋ用の像担持体１Ｋだけを図中反時計回りに回転させて、Ｋトナー像だけを作像する。この際、Ｙ，Ｍ，Ｃについては、像担持体だけでなく、現像装置４も駆動を停止させて、像担持体や現像剤の不要な消耗を防止する。
本複写機は、複写機内の下記機器の制御を司るＣＰＵ等から構成される図示しない制御部と、液晶ディスプレイや各種キーボタン等などから構成される図示しない操作表示部とを備えている。操作者は、この操作表示部に対するキー入力操作により、制御部に対して命令を送ることで、転写紙の片面だけに画像を形成するモードである片面プリントモードについて、３つのモードの中から１つを選択することができる。この３つの片面プリントモードとは、ダイレクト排出モードと、反転排出モードと、反転デカール排出モードとからなる。
【００２５】
[第１実施形態]
図２は、本発明の潤滑剤塗布装置の第１実施形態を備える画像形成装置を示している。この画像形成装置は、像担持体である像担持体１を有しており、像担持体１の周囲には像担持体１の表面に電荷を与えるための帯電装置２が設けられている。この帯電装置２は、接触帯電方式、非接触帯電方式、又はコロナ帯電方式のうちいずれの帯電方式を用いてもよい。また、像担持体１の周囲には、原稿用紙をＣＣＤやＣＭＯＳなどの撮像素子で読みとり、帯電後の像担持体１に静電潜像である静電コントラストを形成するための露光装置３が設けられている。この露光装置３の光源には、例えば、ＬＥＤ素子やＬＥＤアレイを用いることができる。さらに、像担持体１の周囲には、静電潜像を現像するための１成分現像剤である磁性トナー、又は２成分現像剤であるトナーとキャリアとからなる現像剤が、投入された磁気ブラシ方式の現像装置４が設けられている。
【００２６】
また、像担持体１の周囲には、像担持体上のトナー像を原稿用紙に転写するために、トナーとは逆極性の電圧を印加された転写装置５が設けられている。さらに、像担持体１の周囲には、像担持体１と原稿用紙を静電的に引き離すための分離装置６が設けられている。また、像担持体１の周囲には、像担持体上の残留粉体を清掃するためのクリーニングブレード７ｂと、直毛状又はループ状のクリーニングブラシ７ａとを備えるクリーニング装置７とが設けられている。クリーニングブレード７ｂとクリーニングブラシ７ａとはどちらか一方設けるだけでもクリーニング装置としての機能を発揮することができる。さらに、像担持体１の周囲には潤滑剤塗布装置８が設けられている。この潤滑剤塗布装置８は、像担持体１に潤滑剤を付与するための固形潤滑剤８ａと、固形潤滑剤８ａを支持する潤滑剤支持部材８ｄと、固形潤滑剤８ａを像担持体１に押圧する加圧部材としてのコイル状のスプリング８ｃと、像担持体表面上に塗布された潤滑剤を均一に引き伸ばす塗布ブレード８ｂと、後述する接触角測定手段である接触角測定センサ８ｓ（図３記載）により測定して得られた接触角に応じて付勢力切替手段であるカム８ｅ（図３参照）を制御する制御手段８ｆとを備えている。そして、像担持体１の周囲には、トナー像を原稿用紙Ｐにハードコピー化するためのヒータを有する定着装置９が設けられている。
固形潤滑剤８ａとしては、ステアリン酸亜鉛を代表的に用いることができる。製法（直接法、間接法）、硬度、純度などは問わない。ステアリン酸亜鉛の他にもステアリン酸カルシウムなどを利用することができる。
加圧部材としては、コイル状のスプリング８ｃの他に、板バネ、スポンジ、ゴムその他の弾性を示すものを使用することができる。
【００２７】
プロセスカートリッジとしては、像担持体１、帯電装置２、クリーニング装置７、及び潤滑剤塗布装置８より構成されるプロセスカートリッジ、又は像担持体１、帯電装置２、クリーニング装置７、潤滑剤塗布装置８、及び現像装置４より構成されるプロセスカートリッジの形態が周知である。プロセスカートリッジは画像形成装置に着脱自在にされている。像担持体１、帯電装置２、クリーニング装置７、及び現像装置４等を組み合わせて、プロセスカートリッジ化するメリットは、例えば、メンテナンス性が良好である点にあり、上記部品又は装置に起因した故障が発生した場合、プロセスカートリッジを交換するだけで、早期に原状回復させることができる。
【００２８】
図３は本発明の潤滑剤塗布装置の第１実施形態を画像形成装置へ設置した状態を示している。潤滑剤塗布装置８と帯電装置２の間に、固形潤滑剤８ａにより潤滑剤が塗布された像担持体表面へ滴下された液滴Ｗの接触角を測定する接触角測定手段として接触角測定センサ８ｓが設置されている。固形潤滑剤８ａと接触角測定センサ８ｓは、クリーニング装置７と帯電装置２の間であればどちらが像担持体回転方向上流側にあってもよい。
接触角測定センサ８ｓは、像担持体表面上に滴下された液滴Ｗを可視化するための光源８ｓ１と、光源８ｓ１からの光の光路を９０度変更させ液滴Ｗを照射するためのミラー８ｓ２と、液滴Ｗを透過した光の光路を９０度変更させるためのミラー８ｓ３と、ミラー８ｓ３で反射した光を受光する画像読取手段８ｓ４と、液滴Ｗを像担持体表面に滴下させるための液滴滴下部８ｓ５と、液滴接触角測定演算部８ｓ６とからなる。
【００２９】
画像読取手段８ｓ４には、レンズが備え付けられており、レンズの倍率は１０〜１００倍のものが好ましく用いられる。接触角測定時の液滴Ｗの滴下量は、１０〜１０００ｐｌである。像担持体表面の液滴Ｗの接触角を測定し、潤滑剤が像担持体周面の軸方向全体に均一に塗布されている状態であるか又は不均一に塗布されている状態であるかを確認するために、モニターで可視化するが、液滴Ｗの像担持体表面との接触角は微小領域（２０〜１００μｍ）にある液滴を測定して行う。
【００３０】
画像読取手段８ｓ４で取得した光学像は、液滴接触角測定演算部８ｓ６で自動認識によって数値化、例えば二値化又はグレースケール化される。そして、像担持体表面に滴下された液滴Ｗと像担持体表面とがなす接触角θ（図４）が計算される。ここで、接触角θについて説明する。液体を固体表面に滴下すると、液体は自らの持つ表面張力で丸くなり、いわゆるヤングの式が成立する。そして、ヤングの式における液滴の接線と固体表面とのなす角度を接触角という。
一般的に使用されている接触角θを求める手法としては、θ／２法が挙げられる。このθ／２法は、液滴の左右端点と頂点を結ぶ直線の、固体表面に対する角度を２倍して接触角θとする方法である。
接触角測定センサ８ｓは、移動機構によって像担持体１の軸方向に沿って像担持体軸方向全体に移動可能にされている。コントローラ８ｋは、接触角測定センサ８ｓを用いて測定した接触角θの値に応じて、スプリング８ｃの荷重制御を行う。
【００３１】
次に、像担持体の表面に液滴Ｗを滴下した液滴画像の例を示す。図５（ａ）は、潤滑剤塗布装置８により像担持体１に潤滑剤を塗布した際の理想的な表面状態を示す液滴Ｗの接触角観察画像例であり、接触角θは１０６．９°である。図５（ｂ）は、潤滑剤塗布装置８により像担持体１に潤滑剤を塗布した際の理想的でない表面状態を示す液滴Ｗの接触角観察例であり、接触角θは７９．９°である。
【００３２】
図６（ａ）は、潤滑剤塗布装置８により潤滑剤が像担持体１に均一に塗布されている理想的な表面状態を示す液滴Ｗの接触角を測定した結果を示している。像担持体軸方向に沿って１０箇所測定した結果、接触角θは１０３．０°〜１０５．９°の範囲にあり、比較的バラツキが少なく、均一に塗布されていることがわかる。
図６（ｂ）は、潤滑剤塗布装置８により潤滑剤が像担持体１に不均一に塗布されている表面状態を示す液滴Ｗの接触角を測定した結果を示している。像担持体軸方向に沿って１０箇所測定した結果、接触角θは７９．９°〜１０８．０°と幅があり比較的バラツキが多く、不均一に塗布されていることがわかる。
このように、像担持体表面上の接触角θを検出することにより、図６（ａ）に示すような像担持体に均一に潤滑剤が塗布されている表面状態であるか、図６（ｂ）に示すような像担持体に不均一に潤滑剤が塗布されている表面状態であるかを把握することができる。
【００３３】
図７は、接触角測定システムを示している。像担持体１には固形潤滑剤８ａが圧接されている。像担持体１の外周面上には像担持体１の軸方向に沿って複数の接触角測定センサ８ｓが設けられている。潤滑剤塗布装置８は、固形潤滑剤８ａ、スプリング８ｃ、潤滑剤支持部材８ｄ、カム８ｅ、制御手段８ｆを備えている。潤滑剤支持部材８ｄによって支持された固形潤滑剤８ａは、スプリング８ｃによって像担持体１に圧接されている。スプリング８ｃの一端にはカム８ｅが当接している。このカム８ｅはソレノイドやモータ等の駆動手段によって駆動される。
カム８ｅを回転させてスプリング８ｃの圧縮状態を変更すると、固形潤滑剤８ａと像担持体１との接触状態が変化する。像担持体表面への潤滑剤の塗布量を変えるためには、カム８ｅを回転させてスプリング８ｃの圧縮状態を変え、固形潤滑剤８ａにかける荷重を変えればよい。潤滑剤の塗布量の変更は、像担持体１の軸方向両端側に設けられた接触角測定センサ８ｓにより検出した像担持体表面に塗布されている潤滑剤の状態に応じて、適宜行えばよい。
【００３４】
図８は、図７の接触角測定システムの第１変形例を示している。潤滑剤塗布装置８の固形潤滑剤８ａと潤滑剤支持部材８ｄを２分割し、図７の形態と同様の効果を得るものである。固形潤滑剤８ａは、同じ材質の固形潤滑剤片８ａ１を２個組み合わせて１個の固形潤滑剤８ａをなし、各固形潤滑剤片８ａ１は潤滑剤支持部材片８ｄ１で支持されている。
【００３５】
図９は、図７の接触角測定システムの第２変形例を示している。潤滑剤塗布装置８の固形潤滑剤８ａと潤滑剤支持部材８ｄを３分割し、図７の形態と同様の効果を得るものである。固形潤滑剤８ａは、同じ材質の固形潤滑剤片８ａ１を３個組み合わせて１個の固形潤滑剤８ａをなし、各固形潤滑剤片８ａ１は潤滑剤支持部材片８ｄ１で支持されている。また、接触角測定センサ８ｓは固形潤滑剤片８ａ１毎に設けられている。
【００３６】
図１０ないし図１２は、図７における接触角測定システムの動作フローを示している。図３を参照しながら動作フローについて説明する。まず、像担持体駆動モータが停止中であることを確認する（Ｓ１）。停止していないときは停止するまで待つ。像担持体駆動モータが停止していれば、接触角測定センサ８ｓの光源８ｓ１を点灯する（Ｓ２）。液滴滴下部８ｓ５より液滴Ｗを像担持体表面に滴下し、像担持体表面に液滴Ｗを着滴させる（Ｓ３）。像担持体表面に液滴Ｗが着滴後、画像読取手段８ｓ４で像担持体１に着滴した液滴Ｗの光学像を取得する（Ｓ４）。この液滴Ｗの光学像が画像読取手段８ｓ４の撮像素子で光電変換され、画像データにされ、次いで、液滴接触角測定演算部８ｓ６で接触角θが算出される（Ｓ５）。
次いで、光源８ｓ１を消灯する（Ｓ６）。液滴接触角測定演算部８ｓ６で算出された接触角θは、コントローラ８ｋに送信される。コントローラ８ｋでは、接触角測定センサ８ｓで測定された接触角から潤滑剤の塗布分布が均一であるか否か判断される（Ｓ７）。その結果、２個の接触角測定センサ８ｓによる測定がともに潤滑剤が均一であると判断した場合、接触角測定センサ８ｓの動作フローは終了する。一方、２個の接触角測定センサ８ｓによる測定のうちのいずれかが潤滑剤が均一でないと判断した場合、まず、一方の接触角測定センサ８ｓについて均一であったか否か判断される（Ｓ８）。Ｓ８において、潤滑剤が均一でないと判断された場合、図１１のＳ１００に進む。一方、潤滑剤が均一であると判断された場合、もう一方の接触角測定センサ８ｓで同様の判断がなされる。その結果、均一でないと判断された場合、図１１のＳ２００に進み、潤滑剤が均一であると判断された場合、動作フローが終了する。
【００３７】
図１１に示すように、図１０からＳ１００に移行した後、像担持体表面の潤滑剤塗布量が像担持体軸方向に沿って不均一に塗布されていると判断されると、コントローラ８ｋから制御手段８ｆに不均一な潤滑剤である旨の情報が送信され、この情報に基づいて制御手段８ｆは、駆動用モータを駆動してカム８ｅを回転させる。そして、像担持体表面への潤滑剤の塗布量を増やすために、スプリング８ｃをより圧縮して固形潤滑剤８ａをより強く像担持体１に対して付勢する（Ｓ１０１）。
次いで、像担持体駆動モータをＯＮにして像担持体１を回転駆動し、像担持体１への潤滑剤塗布動作を開始する（Ｓ１０２）。像担持体１へ潤滑剤を均一に塗布するためには、一定時間像担持体駆動モータの回転を行う（Ｓ１０３）。一定時間経過後、像担持体駆動モータをＯＦＦして回転を停止させる（Ｓ１０４）。最後に、カム８ｅを再度回転させて、スプリング８ｃの圧縮を弱め、初期状態にリセットする（Ｓ１０５）。そして、図１０の「Ｒ」に戻る。このフローは、像担持体表面の潤滑剤塗布状態が均一になるまで繰り返す。
【００３８】
図１２に示すように、図１０からＳ２００に移行した後、像担持体表面の潤滑剤塗布量が像担持体軸方向に沿って不均一に塗布されていると判断されると、コントローラ８ｋから制御手段８ｆに不均一な潤滑剤である旨の情報が送信され、この情報に基づいて制御手段８ｆは、駆動用モータを駆動してカム８ｅを回転させる。そして、像担持体表面への潤滑剤の塗布量を増やすために、スプリング８ｃをより圧縮して固形潤滑剤８ａをより強く像担持体１に対して付勢する（Ｓ２０１）。
次いで、像担持体駆動モータをＯＮにして像担持体１を回転駆動し、像担持体１への潤滑剤塗布動作を開始する（Ｓ２０２）。像担持体１へ潤滑剤を均一に塗布するためには、一定時間像担持体駆動モータの回転を行う（Ｓ２０３）。一定時間経過後、像担持体駆動モータをＯＦＦして回転を停止させる（Ｓ２０４）。最後に、カム８ｅを再度回転させて、スプリング８ｃの圧縮を弱め、初期状態にリセットする（Ｓ２０５）。そして、図１０の「Ｒ」に戻る。このフローは、像担持体表面の潤滑剤塗布状態が均一になるまで繰り返す。
【００３９】
上述した第１実施形態の潤滑剤塗布装置８では、像担持体上の潤滑剤の塗布状態を接触角測定センサ８ｓにより測定し、カム８ｅを用いて固体潤滑剤８ａと像担持体１との接触状態を適宜変更する構成にしたので、使用条件や環境条件に左右されることなく、像担持体表面の潤滑剤塗布状態を一定の状態に保つことができ、像担持体の表面全体に均一な塗布量の潤滑剤膜を形成することができる。ひいては、工場出荷時から製品部品寿命時まで安定した潤滑剤の塗布状態を維持することが可能である。
【００４０】
［第２実施形態］
図１３は、本発明の潤滑剤塗布装置の第２実施形態を備える画像形成装置を示している。図１４は、潤滑剤塗布装置の具体的な構成を示している。この第２実施形態の画像形成装置は、潤滑剤塗布装置に潤滑剤塗布部材を設けた点で第１実施形態と異なる。
図に示すように、固形潤滑剤８ａから像担持体１に潤滑剤を搬送し像担持体上に潤滑剤を塗布するための潤滑剤塗布部材８ｇが設けられている。ここでは、潤滑剤塗布部材８ｇとして回転ブラシが用いられている。そして、スプリング８ｃによる固形潤滑剤８ａの付勢力を変更すると、固形潤滑剤８ａと潤滑剤塗布部材８ｇとの接触状態、及び潤滑剤塗布部材８ｇと像担持体１との接触状態が変更される。
図に示す状態から像担持体１が回転駆動すると、潤滑剤塗布部材８ｇも連動して回転し、潤滑剤塗布部材８ｇのブラシ部の先端が固形潤滑剤８ａを削り取り、次いで、このブラシ部の先端は固形潤滑剤８ａで削り取った潤滑剤を搬送する。そして、ブラシ部の先端は像担持体１に接触すると、ブラシの毛が撓み、像担持体表面に潤滑剤を擦り付けることになる。このように潤滑剤塗布部材８ｇを設けることで、ブラシの先端が固形潤滑剤８ａを削り取るので、像担持体１へ安定して潤滑剤を塗布することができる。
なお、潤滑剤塗布部材として潤滑剤塗布部材８ｇを用いた例について説明したが、弾性ローラ、チューブ被覆ローラ、ベルト、又は不織布などを用いてもよい。
【００４１】
図１５は、接触角測定システムを示している。潤滑剤塗布部材８ｇを固体潤滑剤８ａと像担持体１との間に設けた点以外は、第１実施形態と同様である。
図１６は、図１５の接触角測定システムの第１変形例を示している。潤滑剤塗布装置８の固形潤滑剤８ａと潤滑剤支持部材８ｄと潤滑剤塗布部材８ｇとを２分割させて、図１５の形態と同様の効果を得るものである。固形潤滑剤８ａは、同じ材質の固形潤滑剤片８ａ１を２個組み合わせて１個の固形潤滑剤８ａをなし、各固形潤滑剤片８ａ１は潤滑剤支持部材片８ｄ１で支持され、かつ潤滑剤塗布部材片８ｇ１に接触している。
【００４２】
図１７は、図１５の接触角測定システムの第２変形例を示している。潤滑剤塗布装置８の固形潤滑剤８ａと潤滑剤支持部材８ｄと潤滑剤塗布部材８ｇを３分割させて、図１５の形態と同様の効果を得るものである。固形潤滑剤８ａは、同じ材質の固形潤滑剤片８ａ１を３個組み合わせて１個の固形潤滑剤８ａをなし、各固形潤滑剤片８ａ１は潤滑剤支持部材８ｄで支持され、かつ潤滑剤塗布部材片８ｇ１に接触している。また、接触角測定センサ８ｓは固形潤滑剤片８ａ１毎に設けられている。
【００４３】
なお、本発明の潤滑剤塗布装置の接触角測定システムは、画像形成装置の電源投入時、省エネモード突入時、ジョブエンド時など、像担持体１が回転停止している状態で実施する。
【図面の簡単な説明】
【００４４】
【図１】図１は、本発明の現像装置を備える画像形成装置の一実施形態を示す説明図である。
【図２】図２は、本発明の潤滑剤塗布装置の第１実施形態を備える画像形成装置を示す説明図である。
【図３】図３は、図２の潤滑剤塗布装置の具体的構成を示す説明図である。
【図４】図４は、潤滑剤が塗布された像担持体上の液滴の形状及び接触角を示す説明図である。
【図５】図５は、潤滑剤が塗布された像担持体上の液滴の形状を示す説明図である。図５（ａ）は理想的な状態を示しており、図５（ｂ）は理想的でない状態を示している。
【図６】図６は、液滴の像担持体への接触角を測定した結果を示すグラフである。図６（ａ）は理想的な状態での測定結果であり、図６（ｂ）は理想的でない状態での測定結果である。
【図７】図７は、本発明の潤滑剤塗布装置の第１実施形態を用いた接触角測定システムを示す説明図である。
【図８】図８は、図７の接触角測定システムの第１の変形例を示す説明図である。
【図９】図９は、図７の接触角測定システムの第２の変形例を示す説明図である。
【図１０】図１０は、図７の接触角測定システムの動作フローを示す説明図である。
【図１１】図１１は、図７の接触角測定システムの動作フローを示す説明図である。
【図１２】図１２は、図７の接触角測定システムの動作フローを示す説明図である。
【図１３】図１３は、本発明の潤滑剤塗布装置の第２実施形態を備える画像形成装置を示す説明図である。
【図１４】図１４は、図１３の潤滑剤塗布装置の具体的構成を示す説明図である。
【図１５】図１５は、本発明の潤滑剤塗布装置の第２実施形態を用いた接触角測定システムを示す説明図である。
【図１６】図１６は、図１５の接触角測定システムの第１の変形例を示す説明図である。
【図１７】図１７は、図１５の接触角測定システムの第２の変形例を示す説明図である。
【符号の説明】
【００４５】
１  像担持体
２  帯電装置
３  露光装置
４  現像装置
５  転写装置
６  分離装置
７  クリーニング装置
７ａ  クリーニングブラシ
７ｂ  クリーニングブレード
８  潤滑剤塗布装置
８ａ  固形潤滑剤
８ａ１  固形潤滑剤片
８ｂ  塗布ブレード
８ｃ  スプリング
８ｄ  潤滑剤支持部材
８ｄ１  潤滑剤支持部材片
８ｅ  カム
８ｆ  潤滑剤塗布荷重調整制御手段
８ｇ  潤滑剤塗布部材
８ｇ１  塗布ブラシ片
８ｋ  コントローラ
８ｓ  接触角測定センサ
８ｓ１  光源
８ｓ２，８ｓ３  ミラー
８ｓ４  画像読取手段
８ｓ５  液滴滴下部
８ｓ６  液滴接触角測定演算部
９  定着装置
１４  張架ローラ
１５  駆動ローラ
１６  二次転写バックアップローラ
１７  中間転写ユニット
１８  プロセスカートリッジ
２０  画像形成ユニット
２１  光書込ユニット
２２  二次転写装置
２３  張架ローラ
２４  紙搬送ベルト
２５  定着装置
２６  定着ベルト
２７  加圧ローラ
３０  原稿台
３２  コンタクトガラス
３３  第１走行体
３４  第２走行体
３５  結像レンズ
３６  読取センサ
４２  給紙ローラ
４３  ペーパーバンク
４４  給紙カセット
４５  分離ローラ
４６  給紙路
４７  搬送ローラ対
４９  レジストローラ対
５０  手差し給紙ローラ
５１  手差しトレイ
５２  分離ローラ
５３  手差し給紙路
５７  スタック部
６２  一次転写バイアスローラ
９０  ベルトクリーニング装置
１００  プリンタ部
１１０  中間転写ベルト
２００  給紙装置
３００  スキャナ
４００  原稿自動搬送装置
Ｐ  原稿用紙
Ｗ  液滴
【図１】
2009186738.tif 000003
【図２】
2009186738.tif 000004
【図３】
2009186738.tif 000005
【図４】
2009186738.tif 000006
【図６】
2009186738.tif 000007
【図７】
2009186738.tif 000008
【図８】
2009186738.tif 000009
【図９】
2009186738.tif 000010
【図１０】
2009186738.tif 000011
【図１１】
2009186738.tif 000012
【図１２】
2009186738.tif 000013
【図１３】
2009186738.tif 000014
【図１４】
2009186738.tif 000015
【図１５】
2009186738.tif 000016
【図１６】
2009186738.tif 000017
【図１７】
2009186738.tif 000018
【図５】
2009186738.tif 000019